(57)【要約】【課題】省電力モード時におけるシステム全体としての消費電力を更に削減する。【解決手段】表示装置に映像信号を送信する情報処理装置は、通常動作モードと通常動作モードよりも消費電力を低減させる省電力モードとを含む複数の動作モードを有し、省電力モード時に、表示装置が備える人感センサからの検出結果に基づいて、人感センサが人を検出した場合に、自装置の動作モードを通常動作モードに遷移させるとともに、表示装置の動作モードを通常動作モードに遷移させる。【選択図】図１
2020166010.tif 000002
【特許請求の範囲】
【請求項１】
通常動作モードと前記通常動作モードよりも消費電力を低減させる省電力モードとを含む複数の動作モードを有し、
表示装置と接続する通信インタフェース部と、
前記表示装置に映像信号を送信する映像信号処理部と、
省電力モード時に、前記表示装置が備える人感センサの検出結果に基づいて、前記人感センサが人を検出した場合に、自装置の動作モードを通常動作モードに遷移させるとともに、前記表示装置の動作モードを通常動作モードに遷移させる制御信号処理部と、
を備える情報処理装置。
【請求項２】
前記制御信号処理部は、省電力モードに遷移することが前記表示装置から通知されると、自装置の動作モードを省電力モードに遷移させる
請求項１に記載の情報処理装置。
【請求項３】
前記通知は、前記表示装置が備える前記人感センサの検出結果を示す
請求項２に記載の情報処理装置。
【請求項４】
前記制御信号処理部は、前記映像信号処理部から前記表示装置に映像信号を送信することにより、前記表示装置の動作モードを通常動作モードに遷移させる
請求項１から請求項３の何れか一項に記載の情報処理装置。
【請求項５】
通常動作モードと前記通常動作モードよりも消費電力を低減させる省電力モードとを含む複数の動作モードを有し、
情報処理装置と接続する通信インタフェース部と、
前記情報処理装置から受信した映像信号に基づいて映像を表示する表示部と、
前記情報処理装置に検出結果を供給可能な人感センサと、
前記人感センサの検出結果に基づいて動作モードを遷移させるセンサ制御部と、
通常動作モード時には前記センサ制御部を含む各構成部に電力を供給し、省電力モード時には前記各構成部のうち前記センサ制御部を含む一部の構成部への電力の供給を停止する電源制御部と、
を備える表示装置。
【請求項６】
前記センサ制御部は、前記人感センサが人を検出していない場合に、自装置の動作モードを省電力モードに遷移させ、
動作モードが省電力モードに遷移するときに、その旨を前記情報処理装置に通知する制御信号処理部を備える
請求項５に記載の表示装置。
【請求項７】
前記通知は、前記人感センサの検出結果を示す
請求項６に記載の表示装置。
【請求項８】
前記省電力モード時に前記情報処理装置から映像信号を受信すると、自装置の動作モードを通常動作モードに遷移させる映像信号処理部を備える
請求項５から請求項７の何れか一項に記載の表示装置。
【請求項９】
表示装置と情報処理装置とを備える表示システムであって、
前記表示装置は、
通常動作モードと前記通常動作モードよりも消費電力を低減させる省電力モードとを含む複数の動作モードを有し、
前記情報処理装置と接続する通信インタフェース部と、
前記情報処理装置から受信した映像信号に基づいて映像を表示する表示部と、
前記情報処理装置に検出結果を供給可能な人感センサと、
前記人感センサの検出結果に基づいて動作モードを遷移させるセンサ制御部と、
通常動作モード時には前記センサ制御部を含む各構成部に電力を供給し、省電力モード時には前記各構成部のうち前記センサ制御部を含む一部の構成部への電力の供給を停止する電源制御部と、
を備え、
前記情報処理装置は、
通常動作モードと前記通常動作モードよりも消費電力を低減させる省電力モードとを含む複数の動作モードを有し、
表示装置と接続する通信インタフェース部と、
前記表示装置に映像信号を送信する映像信号処理部と、
省電力モード時に、前記表示装置が備える人感センサに接続し、前記人感センサが人を検出した場合に、自装置の動作モードを通常動作モードに遷移させるとともに、前記表示装置の動作モードを通常動作モードに遷移させる制御信号処理部と、
を備える表示システム。
【請求項１０】
前記表示装置の前記センサ制御部は、前記人感センサが人を検出していない場合に、自装置の動作モードを省電力モードに遷移させ、
前記表示装置は、動作モードが省電力モードに遷移するときに、その旨を前記情報処理装置に通知する制御信号処理部を備え、
前記情報処理装置の前記制御信号処理部は、前記表示装置から省電力モードに遷移することが通知されると、自装置の動作モードを省電力モードに遷移させる
請求項９に記載の表示システム。
【請求項１１】
前記通知は、前記人感センサの検出結果を示す
請求項１０に記載の表示システム。
【請求項１２】
前記情報処理装置の前記映像信号処理部は、自装置の動作モードが通常動作モードに遷移すると、前記表示装置に映像信号を送信し、
前記表示装置は、省電力モード時に前記情報処理装置から映像信号を受信すると、自装置の動作モードを通常動作モードに遷移させる映像信号処理部を備える
請求項９から請求項１１の何れか一項に記載の表示システム。
【請求項１３】
通常動作モードと前記通常動作モードよりも消費電力を低減させる省電力モードとを含む複数の動作モードを有し、表示装置に映像信号を送信する情報処理装置における表示方法であって、
省電力モード時に、前記表示装置が備える人感センサからの検出結果に基づいて、前記人感センサが人を検出した場合に、自装置の動作モードを通常動作モードに遷移させるとともに、前記表示装置の動作モードを通常動作モードに遷移させる
表示方法。
【請求項１４】
通常動作モードと前記通常動作モードよりも消費電力を低減させる省電力モードとを含む複数の動作モードを有し、情報処理装置から受信した映像信号に基づいて映像を表示する表示装置における表示方法であって、
通常動作モード時には前記情報処理装置から接続可能な人感センサの検出結果に基づいて動作モードを遷移させるセンサ制御部を含む各構成部に電力を供給し、省電力モード時には前記各構成部のうち前記センサ制御部を含む一部の構成部への電力の供給を停止する
表示方法。
【発明の詳細な説明】
【技術分野】
【０００１】
本発明は、情報処理装置、表示装置、表示システム、及び表示方法に関する。
【背景技術】
【０００２】
映像表示装置において、人感センサを搭載し映像表示装置を使用する対象が範囲内に存在するか否かの判定を行い、範囲内に対象が存在しない場合には省電力モードへと遷移することで電力使用量の削減を図る技術がある。
また、映像表示装置と、映像信号を映像表示装置へ送信するパーソナルコンピュータとは独立して動作しているが、特許文献１には、映像表示装置が省電力モードへと遷移したという情報をパーソナルコンピュータへ送信することにより、パーソナルコンピュータと映像表示装置との動作モードを同期させる技術が記載されている。
【先行技術文献】
【特許文献】
【０００３】
【特許文献１】国際公開第２０１２／１７２６７９号
【発明の概要】
【発明が解決しようとする課題】
【０００４】
しかしながら、特許文献１に記載の技術では、映像表示装置からパーソナルコンピュータに対して常に動作モード遷移の通知処理を行う。つまり、特許文献１に記載の技術では、映像表示装置は、省電力モードにあっても人感センサを制御する回路に対して電圧が入力されている状態である。よって、例えばユーザが長時間に渡り離席している場合には、映像表示装置は相当の電力を消費することになる。
【０００５】
そこでこの発明は、上述の課題を解決する情報処理装置、表示装置、表示システム及び表示方法を提供することを目的としている。
【課題を解決するための手段】
【０００６】
本発明の第１の態様によれば、情報処理装置は、通常動作モードと前記通常動作モードよりも消費電力を低減させる省電力モードとを含む複数の動作モードを有し、表示装置と接続する通信インタフェース部と、前記表示装置に映像信号を送信する映像信号処理部と、省電力モード時に、前記表示装置が備える人感センサからの検出結果に基づいて、前記人感センサが人を検出した場合に、自装置の動作モードを通常動作モードに遷移させるとともに、前記表示装置の動作モードを通常動作モードに遷移させる制御信号処理部と、を備えることを特徴とする。
【０００７】
本発明の第２の態様によれば、表示装置は、通常動作モードと前記通常動作モードよりも消費電力を低減させる省電力モードとを含む複数の動作モードを有し、情報処理装置と接続する通信インタフェース部と、前記情報処理装置から受信した映像信号に基づいて映像を表示する表示部と、前記情報処理装置に検出結果を供給可能な人感センサと、前記人感センサの検出結果に基づいて動作モードを遷移させるセンサ制御部と、通常動作モード時には前記センサ制御部を含む各構成部に電力を供給し、省電力モード時には前記各構成部のうち前記センサ制御部を含む一部の構成部への電力の供給を停止する電源制御部と、を備えることを特徴とする。
【０００８】
本発明の第３の態様によれば、表示システムは、表示装置と情報処理装置とを備える表示システムであって、前記表示装置は、通常動作モードと前記通常動作モードよりも消費電力を低減させる省電力モードとを含む複数の動作モードを有し、前記情報処理装置と接続する通信インタフェース部と、前記情報処理装置から受信した映像信号に基づいて映像を表示する表示部と、前記情報処理装置に検出結果を供給可能な人感センサと、前記人感センサの検出結果に基づいて動作モードを遷移させるセンサ制御部と、通常動作モード時には前記センサ制御部を含む各構成部に電力を供給し、省電力モード時には前記各構成部のうち前記センサ制御部を含む一部の構成部への電力の供給を停止する電源制御部と、を備え、前記情報処理装置は、通常動作モードと前記通常動作モードよりも消費電力を低減させる省電力モードとを含む複数の動作モードを有し、表示装置と接続する通信インタフェース部と、前記表示装置に映像信号を送信する映像信号処理部と、省電力モード時に、前記表示装置が備える人感センサからの検出結果に基づいて、前記人感センサが人を検出した場合に、自装置の動作モードを通常動作モードに遷移させるとともに、前記表示装置の動作モードを通常動作モードに遷移させる制御信号処理部と、を備えることを特徴とする。
【０００９】
本発明の第４の態様によれば、表示方法は、通常動作モードと前記通常動作モードよりも消費電力を低減させる省電力モードとを含む複数の動作モードを有し、表示装置に映像信号を送信する情報処理装置における表示方法であって、省電力モード時に、前記表示装置が備える人感センサの検出結果に基づいて、前記人感センサが人を検出した場合に、自装置の動作モードを通常動作モードに遷移させるとともに、前記表示装置の動作モードを通常動作モードに遷移させることを特徴とする。
【００１０】
本発明の第５の態様によれば、表示方法は、通常動作モードと前記通常動作モードよりも消費電力を低減させる省電力モードとを含む複数の動作モードを有し、情報処理装置から受信した映像信号に基づいて映像を表示する表示装置における表示方法であって、通常動作モード時には前記情報処理装置に検出結果を供給可能な人感センサの検出結果に基づいて動作モードを遷移させるセンサ制御部を含む各構成部に電力を供給し、省電力モード時には前記各構成部のうち前記センサ制御部を含む一部の構成部への電力の供給を停止することを特徴とする。
【発明の効果】
【００１１】
本発明によれば、省電力モード時におけるシステム全体としての消費電力を更に削減することができる。
【図面の簡単な説明】
【００１２】
【図１】本発明の実施形態による表示システムの構成を示すブロック図である。
【図２】本発明の実施形態による情報処理装置及び映像表示装置の機能構成図である。
【図３】本発明の実施形態による情報処理装置及び映像表示装置の省電力モード時に電力供給される構成部を示す図である。
【図４】本発明の実施形態による表示システムの動作モード遷移処理の動作を示すシーケンス図である。
【図５】本発明の情報処理装置及び映像表示装置の最小構成を示す図である。
【発明を実施するための形態】
【００１３】
以下、本発明の一実施形態による情報処理装置、表示装置、表示システム及び表示方法を図面を参照して説明する。
【００１４】
＜第１の実施形態＞
まず、第１の実施形態について説明する。
図１は、本実施形態による表示システムの構成を示すブロック図である。
図１で示すように表示システム１００は、情報処理装置１と、映像表示装置２とを含んで構成される。
情報処理装置１は、パーソナルコンピュータやタブレット端末や映像を再生するプレイヤー等の電子機器である。
映像表示装置２は、液晶ディスプレイや有機ＥＬ（Electro-Luminescence）ディスプレイやプラズマディスプレイ等の表示装置である。
情報処理装置１及び映像表示装置２は、通常動作モードと通常動作モードよりも消費電力を低減させる省電力モードとを含む複数の動作モードを有する。
【００１５】
情報処理装置１と映像表示装置２とは、例えばＨＤＭＩ（登録商標）（High-Definition Multimedia Interface）とＵＳＢ（Universal Serial Bus）との２つのケーブルで互いに接続されている。情報処理装置１は、ＨＤＭＩで映像信号を映像表示装置２に送信する。映像信号は、映像表示装置２に表示する映像を示す信号である。また、情報処理装置１と映像表示装置２とは、ＵＳＢで制御信号の送受信を行う。制御信号は、映像信号以外の信号である。例えば、情報処理装置１と映像表示装置２とは、ディスプレイデータチャネル／コマンドインタフェース（Display Data Channel Command Interface:DDC/CI）を使用し、ＤＤＣ／ＩＣプロトコルによって制御信号を送受信する。
【００１６】
図２は、本実施形態による情報処理装置及び映像表示装置の機能構成図である。
情報処理装置１は、通信インタフェース部１１、中央処理装置１２、電源１３、記憶装置１４を少なくとも備える。
【００１７】
通信インタフェース部１１は、映像表示装置２と接続し、通信を行う。例えば、通信インタフェース部１１は、ＨＤＭＩにより映像信号を送信し、ＵＳＢにより制御信号を送受信する。
【００１８】
中央処理装置１２は、情報処理装置１を統括して制御する。中央処理装置１２は、信号処理部１２１と、電源制御部１２２と、演算部１２３とを備える。
【００１９】
信号処理部１２１は、映像表示装置２と送受信する信号の制御を行う。信号処理部１２１は、映像信号処理部１２１１と、制御信号処理部１２１２とを備える。
映像信号処理部１２１１は、映像表示装置２に映像信号を送信するための処理を実行する。例えば、映像信号処理部１２１１は、通常動作モード時に映像信号を映像表示装置２に送信する。また、映像信号処理部１２１１は、省電力モード時には映像表示装置２への映像信号の送信を停止する。
【００２０】
制御信号処理部１２１２は、映像表示装置２と制御信号を送受信するための処理を実行する。また、制御信号処理部１２１２は、マウスやキーボード等の外部機器からの入力を受け付けて処理する。そのため、制御信号処理部１２１２は、省電力モード時にも最低限の電力供給が必要となる構成部である。また、制御信号処理部１２１２は、映像表示装置２が備える人感センサ２６に直接アクセス（接続）し、その検出データを取得可能なアプリケーションプログラミングインタフェース（Application Programming Interface:API）を備える。検出データは、人感センサ２６の検出結果を示すデータであり、例えば人の有無を示す。当該ＡＰＩは、人感センサ２６の検出データを情報処理装置１が外部機器からの入力と認識できる形に変換するソフトウェアである。制御信号処理部１２１２は、変換後は既存の処理方法によってデータを処理する。よって、当該ＡＰＩを有することによる消費電力の増加量は無視できる程度のものである。例えば、制御信号処理部１２１２は、情報処理装置１の通信インタフェース部１１及び映像表示装置２の通信インタフェース部２１のＵＳＢポートを介して人感センサ２６に接続する。制御信号処理部１２１２は、省電力モード時に、映像表示装置２が備える人感センサ２６に接続し、人感センサ２６が人を検出した場合に、自装置の動作モードを通常動作モードに遷移させるとともに、映像表示装置２の動作モードを通常動作モードに遷移させる。例えば、制御信号処理部１２１２は、映像信号処理部１２１１から映像表示装置２に映像信号を送信することにより、映像表示装置２の動作モードを通常動作モードに遷移させる。また、制御信号処理部１２１２は、省電力モード時に、マウスやキーボード等の外部機器からの入力を受け付けた場合に、動作モードを通常動作モードに遷移させる。また、制御信号処理部１２１２は、省電力モードに遷移することを映像表示装置２から通知されると、自装置の動作モードを省電力モードに遷移させる。当該通知は、映像表示装置２が備える人感センサ２６の検出結果を示す。
【００２１】
電源制御部１２２は、電源１３に対する入力電圧の制御を行う。
演算部１２３は、信号処理部１２１及び電源制御部１２２が実行する処理以外の処理や演算を実行する。
【００２２】
電源１３は、情報処理装置１の各構成部へ電力を供給する。
記憶装置１４は、各種情報を記憶する。記憶装置１４は、主記憶装置１４１と、外部記憶装置１４２とを備える。
主記憶装置１４１は、揮発性の記憶装置である。例えば、主記憶装置１４１は、演算部１２３が行った演算の結果等を一時的に記憶する。
外部記憶装置１４２は、不揮発性の記憶装置である。例えば、外部記憶装置１４２は、情報処理装置１を使用する上で必要となるデータを永続的に記憶する。
【００２３】
映像表示装置２は、通信インタフェース部２１、主制御部２２、電源２３、表示部２４、センサ制御部２５、人感センサ２６を少なくとも備える。
【００２４】
通信インタフェース部２１は、情報処理装置１と接続し、通信を行う。例えば、通信インタフェース部２１は、ＨＤＭＩにより映像信号を受信し、ＵＳＢにより制御信号を送受信する。
【００２５】
主制御部２２は、例えばマイクロコンピュータであり、映像表示装置２を統括して制御する。主制御部２２は、信号処理部２２１と、電源制御部２２２と、表示制御部２２３とを備える。
信号処理部２２１は、情報処理装置１と送受信する信号の制御を行う。信号処理部２２１は、映像信号処理部２２１１と、制御信号処理部２２１２とを備える。
映像信号処理部２２１１は、情報処理装置１から受信した映像信号に関する処理を実行する。また、映像信号処理部２２１１は、省電力モード時に情報処理装置１から映像信号を受信すると、自装置の動作モードを通常動作モードに遷移させる。
制御信号処理部２２１２は、情報処理装置１と制御信号を送受信するための処理を実行する。また、制御信号処理部２２１２は、人感センサ２６の検出結果に基づいて動作モードが省電力モードへ遷移するときに、省電力モードに遷移することを制御信号により情報処理装置１に通知する。当該通知は、人感センサ２６の検出結果を示す。
【００２６】
電源制御部２２２は、電源２３に対する入力電圧の制御を行う。例えば、電源制御部２２２は、通常動作モード時にはセンサ制御部２５を含む各構成部に電力を供給し、省電力モード時には各構成部のうちセンサ制御部２５を含む一部の構成部への電力の供給を停止する。
表示制御部２２３は、表示部２４に表示する映像の表示制御を行う。
【００２７】
電源２３は、映像表示装置２の各部へ電力を供給する。
表示部２４は、情報処理装置１から受信した映像信号に基づいて映像を表示するディスプレイである。
センサ制御部２５は、人感センサ２６を制御する電子回路である。センサ制御部２５には、主制御部２２を介して電力が供給される。センサ制御部２５は、人感センサ２６の検出結果に基づいて動作モードを遷移させる処理を実行する。具体的には、センサ制御部２５は、人感センサ２６が人を検出していない場合に、自装置の動作モードを省電力モードに遷移させる。
人感センサ２６は、映像表示装置２の正面に設置され、映像表示装置２の正面にいる人（例えば、映像表示装置２及び情報処理装置１を使用するユーザ）を検出する。人感センサ２６は、センサ制御部２５を介さずとも、情報処理装置１から直接アクセス（接続）可能である。
【００２８】
続いて、情報処理装置１及び映像表示装置２の動作モードについて説明する。情報処理装置１及び映像表示装置２は、少なくとも通常動作モードと省電力モードとを含む複数の動作モードを有する。通常動作モードは、各装置が備える各構成部が通常の動作をするために必要な量の電力を供給するモードである。また省電力モードは、各装置が備える一部の構成部に、動作をするために必要な最低限の量の電力を供給するモードである。
【００２９】
図３は、本実施形態による情報処理装置及び映像表示装置の省電力モード時に電力供給される構成部を示す図である。
本図に示す網掛け部分は、省電力モード時に電力が供給されない構成部を示す。なお、情報処理装置１及び映像表示装置２は、通常動作モード時には全ての構成部に電力を供給する。
【００３０】
情報処理装置１の電源制御部１２２は、省電力モード時には、映像信号処理部１２１１、演算部１２３、及び外部記憶装置１４２への電力供給を停止する。すなわち、情報処理装置１の電源制御部１２２は、省電力モード時には、通信インタフェース部１１、制御信号処理部１２１２、電源制御部１２２、及び主記憶装置１４１にのみ電源１３から電力を供給する。
【００３１】
映像表示装置２の電源制御部２２２は、省電力モード時には、制御信号処理部２２１２、表示制御部２２３、表示部２４、及びセンサ制御部２５への電力供給を停止する。すなわち、映像表示装置２の電源制御部２２２は、省電力モード時には、通信インタフェース部２１、映像信号処理部２２１１、電源制御部２２２、及び人感センサ２６にのみ電源２３から電力を供給する。
【００３２】
図４は、本実施形態による表示システムの動作モード遷移処理の動作を示すシーケンス図である。
次に、表示システム１００における動作を説明する。情報処理装置１及び映像表示装置２は、通常動作モード時に本図に示す処理を実行する。
【００３３】
映像表示装置２のセンサ制御部２５は、人感センサ２６が人を検出したか否かを判定する（ステップＳ１０１）。すなわち、センサ制御部２５は、人感センサ２６の検出範囲内（例えば、映像表示装置２の正面の所定範囲内）に人がいるか否かを判定する。映像表示装置２は、人感センサ２６が人を検出した場合（ステップＳ１０１；Ｙｅｓ）、映像表示装置２および情報処理装置１が省電力モードへ遷移する必要がないため、ステップＳ１０１の処理に戻る。一方、映像表示装置２は、人感センサ２６が人を検出していない場合（ステップＳ１０１；Ｎｏ）、ステップＳ１０２の処理に進む。
【００３４】
映像表示装置２は、通常動作モードから省電力モードへと遷移する（ステップＳ１０２）。具体的には、まず、センサ制御部２５が、人感センサ２６の検出データをレジスタに格納する。続いて、制御信号処理部２２１２が、省電力モードへの遷移のスタンバイが完了した後、レジスタに格納された検出データの値に基づいて、省電力モードへの遷移を通知するＤＤＣ/ＣＩプロトコルの通知データを生成する。そして、制御信号処理部２２１２は、情報処理装置１と動作モードを同期させるため、生成した通知データを制御信号として情報処理装置１に送信する。その後、映像表示装置２の電源制御部２２２は、制御信号処理部２２１２、表示制御部２２３、表示部２４及びセンサ制御部２５への電力の供給を停止し、省電力モードへ遷移する。このように、本実施形態による映像表示装置２では、省電力モード時にセンサ制御部２５への送電を中止するため、センサ制御部２５への送電を中止しない上述した関連する技術に対し、センサ制御部２５に使用する分の電力を削減することが可能である。
【００３５】
ステップＳ１０２において映像表示装置２から情報処理装置１へ送信された通知データを受信した情報処理装置１は、通常動作モードから省電力モードへと遷移する（ステップＳ１０３）。具体的には、情報処理装置１の電源制御部１２２は、映像信号処理部１２１１、演算部１２３、及び外部記憶装置１４２への電力の供給を停止する。また、このとき情報処理装置１は、映像信号処理部１２１１への送電を中止することにより、情報処理装置１から映像表示装置２へと送られていた映像信号の送信も停止する。この時点で、情報処理装置１と映像表示装置２との動作モードの同期が完了する。
【００３６】
ステップＳ１０２において映像表示装置２のセンサ制御部２５に対する送電を中止したため、映像表示装置２から情報処理装置１に対して人感センサ２６の検出結果を通知することができない。そのため、情報処理装置１の制御信号処理部１２１２は、ＵＳＢを介して直接人感センサ２６の検出データを取得する目的で、映像表示装置２の人感センサ２６にアクセスする（ステップＳ１０４）。
【００３７】
制御信号処理部１２１２は、映像表示装置２の人感センサ２６にアクセス完了後、人感センサ２６の検出データを取得する。制御信号処理部１２１２は、取得した検出データを、外部機器からの入力であると情報処理装置１が認識できる形式へと変換する。そして、制御信号処理部１２１２は、取得した検出データに基づいて、人感センサ２６が人を検出したか否かを判定する（ステップＳ１０５）。情報処理装置１は、人感センサ２６が人を検出していない場合（ステップＳ１０５；Ｎｏ）、現在の動作モードを維持し、ステップＳ１０５の処理を再度実行する。一方、情報処理装置１は、人感センサ２６の検出範囲内に人が入り、人感センサ２６が人を検出した場合（ステップＳ１０５；Ｙｅｓ）、ステップＳ１０６の処理に進む。
【００３８】
情報処理装置１は、省電力モードから通常動作モードへと遷移する（ステップＳ１０６）。具体的には、情報処理装置１の電源制御部１２２は、映像信号処理部１２１１、演算部１２３、及び外部記憶装置１４２への電力の供給を再開する。映像信号処理部１２１１は、通常動作モードへの遷移と同時（つまり、電力が供給されると同時）に、映像信号を映像表示装置２へ送信する。
【００３９】
映像表示装置２は、省電力モード時においても、映像信号を受信すると通常動作モードへと遷移する。そのため、映像表示装置２の映像信号処理部２２１１は、情報処理装置１から映像信号を受信したか否かを判定する（ステップＳ１０７）。映像表示装置２は、映像信号を受信していない場合（ステップＳ１０７；Ｎｏ）、再度ステップＳ１０７の処理を実行する。一方、映像表示装置２は、映像信号を受信した場合（ステップＳ１０７；Ｙｅｓ）、ステップＳ１０８の処理に進む。
【００４０】
映像表示装置２は、省電力モードから通常動作モードへと遷移する（ステップＳ１０８）。具体的には、映像表示装置２の電源制御部２２２は、制御信号処理部２２１２、表示制御部２２３、表示部２４及びセンサ制御部２５への電力の供給を再開する。ここで情報処理装置１と映像表示装置２の動作モードの同期が完了する。
【００４１】
このように、本実施形態によれば、映像表示装置２は、通常動作モードと省電力モードとを含む複数の動作モードを有し、情報処理装置１と接続する通信インタフェース部２１と、情報処理装置１から受信した映像信号に基づいて映像を表示する表示部２４と、情報処理装置１から接続可能な人感センサ２６と、人感センサ２６の検出結果に基づいて動作モードを遷移させるセンサ制御部２５と、通常動作モード時にはセンサ制御部２５を含む各構成部に電力を供給し、省電力モード時には各構成部のうちセンサ制御部２５を含む一部の構成部への電力の供給を停止する電源制御部２２２と、を備える。また、情報処理装置１は、通常動作モードと省電力モードとを含む複数の動作モードを有し、映像表示装置２と接続する通信インタフェース部１１と、映像表示装置２に映像信号を送信する映像信号処理部１２１１と、省電力モード時に、映像表示装置２が備える人感センサ２６に接続し、人感センサ２６が人を検出した場合に、自装置の動作モードを通常動作モードに遷移させるとともに、映像表示装置２の動作モードを通常動作モードに遷移させる制御信号処理部１２１２と、を備える。
【００４２】
このような構成により、省電力モード時にセンサ制御部２５に電力を供給することなく、映像表示装置２が備える人感センサ２６の検出結果に基づく通常動作モードへの遷移を情報処理装置１と映像表示装置２とで同期させることができる。よって、例えば離席していたユーザが席に戻ったときに、自動的に映像表示装置２及び情報処理装置１の両方を通常動作モードへ復帰させることができる。また、情報処理装置１は、省電力モードであったとしても、マウスやキーボードなどの外部機器からの入力を常に受け付けるために制御信号処理部１２１２への電力供給を最低限行っている。制御信号処理部１２１２は、人感センサ２６からの検出データを外部機器からの入力と認識するために必要なＡＰＩを有しているが、このＡＰＩを有すことによる消費電力の増加量は、映像表示装置２のセンサ制御部２５の消費電力に比べると微量である。また、当該ＡＰＩを有する場合と有さない場合とで情報処理装置１の装置構成は変わらない。そのため、表示システム１００では、上述した関連する技術に対し、センサ制御部２５が使用する電力分だけ省電力モード時における消費電力を削減することができる。すなわち、本実施形態による表示システム１００は、省電力モード時におけるシステム全体としての消費電力を更に削減することができる。
【００４３】
また、映像表示装置２のセンサ制御部２５は、人感センサ２６が人を検出していない場合に、自装置の動作モードを省電力モードに遷移させ、映像表示装置２は、動作モードが省電力モードに遷移するときに、その旨を情報処理装置１に通知する制御信号処理部２２１２を更に備える。情報処理装置１の制御信号処理部１２１２は、映像表示装置２から省電力モードに遷移することが通知されると、自装置の動作モードを省電力モードに遷移させる。当該通知は、映像表示装置２が備える人感センサ２６の検出結果を示す。これにより、映像表示装置２が備える人感センサ２６が人を検出していないときに、映像表示装置２及び情報処理装置１の両方が省電力モードへ遷移する。すなわち、人感センサ２６の検出結果に基づく省電力モードへの遷移を情報処理装置１と映像表示装置２とで同期させることができる。よって、例えばユーザが離席していて映像表示装置２の前にいないときに、自動的に映像表示装置２及び情報処理装置１の両方を省電力モードへ遷移させることができる。
【００４４】
また、情報処理装置１の映像信号処理部１２１１は、自装置の動作モードが通常動作モードへ遷移すると、映像表示装置２に映像信号を送信する。映像表示装置２の映像信号処理部２２１１は、省電力モード時に情報処理装置１から映像信号を受信すると、自装置の動作モードを通常動作モードに遷移させる。これにより、情報処理装置１は、映像信号の送信を再開するだけで、つまり通常動作モードに遷移させるための特別な信号を用いることなく、映像表示装置２を通常動作モードに遷移させることができる。
【００４５】
＜第２の実施形態＞
続いて第２の実施形態について説明する。
図５は、情報処理装置及び映像表示装置の最小構成を示す図である。
情報処理装置１は、少なくとも、通信インタフェース部１１と、映像信号処理部１２１１と、制御信号処理部１２１２とを備えればよい。
通信インタフェース部１１は、映像表示装置２と接続する。
映像信号処理部１２１１は、映像表示装置２に映像信号を送信する。
制御信号処理部１２１２は、省電力モード時に、映像表示装置２が備える人感センサ２６に接続し、人感センサ２６が人を検出した場合に、自装置の動作モードを通常動作モードに遷移させるとともに、映像表示装置２の動作モードを通常動作モードに遷移させる。
【００４６】
映像表示装置２は、少なくとも、通信インタフェース部２１と、表示部２４と、人感センサ２６と、センサ制御部２５と、電源制御部２２２とを備えればよい。
通信インタフェース部２１は、情報処理装置１と接続する。
表示部２４は、情報処理装置１から受信した映像信号に基づいて映像を表示する。
人感センサ２６は、情報処理装置１から接続可能である。
センサ制御部２５は、人感センサ２６の検出結果に基づいて動作モードを遷移させる。
電源制御部２２２は、通常動作モード時にはセンサ制御部２５を含む各構成部に電力を供給し、省電力モード時には各構成部のうちセンサ制御部２５を含む一部の構成部への電力の供給を停止する。
【００４７】
本実施形態によれば、センサ制御部２５が使用する電力分だけ省電力モード時におけるシステム全体としての消費電力を削減することができる。
【００４８】
以上本発明の一実施形態について説明したが、本発明は、上記実施形態に限定されるものではなく、本発明の趣旨を逸脱しない範囲において種々の変更を加えることが可能である。
【００４９】
例えば、情報処理装置１と映像表示装置２との接続は上述したものに限られず、例えば制御信号に加えて映像信号も送信できるＵＳＢ  Ｔｙｐｅ−Ｃ等の他の接続方式であってもよい。接続がＵＳＢ  Ｔｙｐｅ−Ｃである場合には、情報処理装置１と映像表示装置２とを１つのケーブルで接続することができる。
【００５０】
また、上述した実施形態では、情報処理装置１は、映像信号の送信を再開することにより、映像表示装置２の動作モードを通常動作モードへ遷移させているが、これに限らず、通常動作モードへの遷移を指示する信号等を送信して映像表示装置２の動作モードを通常動作モードへ遷移させてもよい。
【００５１】
また、上述した各実施形態や各変形例の１つまたは複数、上述した各実施形態や各変形例の一部または全部を組み合わせて本発明の一態様を実現するようにしてもよい。
【００５２】
なお、上述した情報処理装置１または映像表示装置２における各処理部の機能を実現するためのプログラムをコンピュータ読み取り可能な記録媒体に記録して、この記録媒体に記録されたプログラムをコンピュータシステムに読み込ませ、実行することにより上述した各処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００５３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５４】
１００・・・表示システム
１・・・情報処理装置
１１・・・通信インタフェース部
１２・・・中央処理装置
１２１・・・信号処理部
１２１１・・・映像信号処理部
１２１２・・・制御信号処理部
１２２・・・電源制御部
１２３・・・演算部
１３・・・電源
１４・・・記憶装置
１４１・・・主記憶装置
１４２・・・外部記憶装置
２・・・映像表示装置
２１・・・通信インタフェース部
２２・・・主制御部
２２１・・・信号処理部
２２１１・・・映像信号処理部
２２１２・・・制御信号処理部
２２２・・・電源制御部
２２３・・・表示制御部
２３・・・電源
２４・・・表示部
２５・・・センサ制御部
２６・・・人感センサ
【図１】
2020166010.tif 000003
【図２】
2020166010.tif 000004
【図３】
2020166010.tif 000005
【図４】
2020166010.tif 000006
【図５】
2020166010.tif 000007